(57)【特許請求の範囲】
【請求項１】
各種の設定情報データをメモリに登録して火災等の異常監視と機器の制御を行う防災監視制御盤に於いて、
盤前面に設けられ、通常監視モードの設定時に保守点検用スイッチとして機能し、データ登録モードの設定時にデータ登録用スイッチとして機能する複数のスイッチと、
前記複数のスイッチを覆う位置に開閉自在に設けられた小扉と、
前記複数のスイッチの操作部位を切り抜き、表面に通常監視モードでの取扱注意を表示すると共に、裏面に前記データ登録用スイッチのスイッチ機能を表示したプレートと、
通常監視モードの設定時に、前記小扉の裏側に前記取扱注意表示面を外側にした状態で前記プレートを取付保持する扉側プレート保持部と、
データ登録モードの設定時に、前記扉側プレート保持部から取り出した前記プレートを、前記盤前面の複数のスイッチの位置に前記データ登録用スイッチのスイッチ機能表示面を外側にした状態で取付保持する盤側プレート保持部と、
を備えたことを特徴とする防災監視制御盤。
【請求項２】
請求項１記載の防災監視制御盤に於いて、更に、
前記各種の設定情報データを登録するためのデータ登録モードを設定する登録モード設定スイッチと、
前記登録モード設定スイッチによるデータ登録モード設定状態で、前記複数のスイッチの操作入力を、前記プレート裏面のデータ登録用スイッチのスイッチ機能表示で指定されたスイッチの入力と見做して前記メモリに対する各種の設定情報データの登録処理を行う登録処理部と、
を備えたことを特徴とする防災監視制御盤。
【発明の詳細な説明】
【０００１】
【発明の属する技術分野】
本発明は、盤前面の監視制御に使用されるスイッチに、データ登録用のスイッチ機能を表示したプレートを装着し、火災、防排煙等の種別、空き回線、蓄積解除、連動制御等の各種の情報を設定してメモリに登録して火災等の異常監視と機器の制御を行う防災監視制御盤に関する。
【０００２】
【従来の技術】
従来、Ｐ型として知られた回線単位で火災を監視して制御する防災監視制御盤にあっては、監視制御を開始する際に、感知器回線と制御回線に対する火報や防排煙等の種別設定、空き回線設定、蓄積解除設定、感知器回線と制御回線との連動関係を示す連動情報設定等のため、これら各種の設定情報をメモリに登録したり、回路で設定したりする初期設定作業を行い、その後に火災等の異常監視と機器の制御を行っている。
【０００３】
このような種別情報、空き回線情報、蓄積解除情報、連動情報等の各種の設定情報の登録と変更を、専用のスイッチ及び表示部を必要とすることなく低コストで容易にできる防災監視制御盤として、例えば図１３のものがある（特開昭１０−１９８８７４号）。
【０００４】
図１３において、防災監視制御盤２０１には、代表表示部２６１、地区表示部２６４−１〜２６４−４、操作表示部２６５、小扉（カバー）２６７を設けた保守点検用の操作表示部２６６が設けられる。操作表示部２６６には、横一列に複数の操作スイッチとその表示灯が配置されている。
【０００５】
保守点検用の操作表示部２６６に設けられるスイッチは、通常の運用状態では使用しないことから、下側を軸に手前に開閉自在な小扉２６７が装着され、通常監視状態にあっては、小扉２６７は閉じて操作表示部２６６のスイッチ及び表示灯の部分を塞いでいる。
【０００６】
この操作表示部２６６に設けているスイッチ群は、本来は防災監視制御盤２０１における保守点検や試験等のために使用するスイッチであるが、防災監視制御盤の立上げ時などにおける種別情報、空き回線情報、蓄積解除情報、連動情報等のメモリへのデータ登録のためにも、操作表示部２６６のスイッチ及び表示灯を使用できるようにしている。
【０００７】
このデータ登録の際に、データ登録の作業をし易くするため図１４に示すようにデータ登録用のプレート２７０を操作表示部２６６へ装着する。
【０００８】
データ登録用のプレート２７０は、プラスチックシートや厚紙シートで作られており、パネル側の装着溝２７２に対しデータ登録用プレート２７０の支持片２７１を差し込み、操作表示部２６６に配列しているスイッチ群及び表示等群をデータ登録用プレート部材２７０に表示された機能のスイッチと見做して扱うことができる。
【０００９】
【発明が解決しようとする課題】
しかしながら、このような従来の防災監視制御盤にあっては、装置立上げ時等に使用したデータ登録用のプレートを、例えば取扱説明書等と一緒に別途保管している。このため運用中に設備の拡張等に伴ってメモリのデータ登録を変更する必要が生じた場合、別途保管しているデータ登録用プレートを探し出してセットしなければならず、紛失し易いという問題がある。
【００１０】
一方、操作表示部２６６に設けた小扉２６７の内側には、監視制御や保守点検に使用するスイッチの操作方法や盤面の表示内容について注意等が記載されている（実公平２−１９８９８号）。このため小扉２６７の内側部分をプレート２７０の収納場所に使用することはできない。そこで、プレートを袋帯に入れて紐で盤内に吊しておくことが考えられるが、内部を点検する際などに邪魔になりやすい。
【００１１】
本発明は、このような従来の問題点に鑑みてなされたもので、監視制御に使用している操作表示部にセットしてデータ登録のスイッチ機能を表示したプレートを紛失することなく確実に保管し、データ登録時には直ちにプレートを使用できるようにした防災監視制御盤を提供することを目的とする。
【００１２】
【課題を解決するための手段】
この目的を達成するため本発明は次のように構成する。まず本発明は、各種の設定情報データをメモリに登録して火災等の異常監視と機器の制御を行う防災監視制御盤を対象とする。
【００１３】
このような防災監視制御盤として本発明は、盤前面に設けられ、通常監視モードの設定時に保守点検用スイッチとして機能し、データ登録モードの設定時にデータ登録用スイッチとして機能する複数のスイッチと、複数のスイッチを覆う位置に開閉自在に設けられた小扉と、複数のスイッチの操作部位を切り抜き、表面に通常監視モードでの取扱注意を表示すると共に、裏面にデータ登録用スイッチとしてのスイッチ機能を表示したプレートと、通常監視モードの設定時に、小扉の裏側に取扱注意表示を外側にした状態でプレートを取付保持する扉側プレート保持部と、データ登録モードの設定時に、扉側プレート保持部から取り出したプレートを、盤前面の複数のスイッチの位置にデータ登録用スイッチとしてのスイッチ機能表示を外側にした状態で取付保持する盤側プレート保持部を備えたことを特徴とする。
【００１４】
このように本発明の防災監視制御盤は、プレートの表面に通常監視モードでの取扱注意を表示し、裏面にはデータ登録用スイッチとしてのスイッチ機能を表示し、通常監視の際には、プレートの表面の取扱注意を出した状態で小扉の裏側に取付保持しておくことで、通常監視の際に必要な注意事項を小扉を開いて確認できる。
【００１５】
また立ち上げ時等のデータ登録を必要とする際には、小扉からプレートを外して操作表示部にプレート裏面のデータ登録用のスイッチ機能表示を出した状態で取付保持することで、登録作業が直ちにできる。
【００１６】
また通常監視時の取扱注意とデータ登録のためのスイッチ機能表示が１枚のプレートの表裏に表示されているため、別々に表示した場合に比べ、表示スペースが半分にでき、このため操作表示部の小扉の内側の１ケ所に収納でき、プレートの取出しが容易で紛失も起き難い。
【００１７】
更に、本発明の防災監視制御盤は、各種の設定情報データを登録するためのデータ登録モードを設定する登録モード設定スイッチと、登録モード設定スイッチによるデータ登録モード設定状態で、複数のスイッチの操作入力を、プレート裏面のデータ登録用スイッチのスイッチ機能表示で指定されたスイッチの入力と見做してメモリに対する各種の設定情報データの登録処理を行う登録処理部とを備える。
【００１８】
【発明の実施の形態】
図１は、本発明の防災監視制御盤の概観説明図であり、回線単位に監視と制御を行うことができ、受信用回線及び制御用回線の回線接続数を例えば各々最大５００回線とすることができる。
【００１９】
図１において、防災監視制御盤１は、本体に対し開閉自在な前面の扉表面に、上から地区表示パネル２及び操作表示パネル３を設けている。操作表示パネル３の右側には、右側を回転軸として水平回りに開閉自在な小扉５が設けられている。
【００２０】
地区表示パネル２には例えば１０回線を１単位として１３枚のパネルが設けられており、最大１３０回線を表示することができる。１３０回線を超える地区表示については、例えば地区表示パネルを有する副受信盤（連盤）にて表示を行うことになる。
【００２１】
図２は、図１の操作表示パネル３を取り出している。操作表示パネル３の右側には小扉５が設けられ、小扉５の内側に保守点検用の操作表示部４が設けられている。
【００２２】
図３は、図２の小扉５の開閉の様子を示している。小扉５は右側上下に設けたヒンジ５ａにより、本体側に対し水平回りに開閉自在に装着されている。小扉５の内側の上下の２箇所には、扉側プレート保持部１３を内側に張り出しており、プレート保持部１３には矩形の通し穴が形成されている。
【００２３】
また小扉５が装着される盤側の操作表示部４には、スイッチノブが入る矩形のスイッチ穴とＬＥＤを入れる丸型の表示穴が設けられ、その下側の２箇所には盤側プレート保持部１４が形成される。この盤側プレート保持部１４は操作表示部４の上側の位置にも設けられている。
【００２４】
更に、小扉５の内側の上下には係合突起５ｂが内側に張り出しており、係合突起５ｂの先端部それぞれは外側に対して僅かに突出した係合部が形成されている。一方、盤側の操作表示部４の上下には、係合突起５ｂの係合部が係合される係合穴６が形成されている。小扉５を閉めることにより上下の係合突起５ｂの係合部が盤側の係合穴６に入ることで、小扉５は保持される。
【００２５】
図４は、図１の操作表示パネル３を保守点検用の操作表示部４に設けている小扉５を開いた状態で表わしている。図４において、操作表示パネル３の常時露出状態における左側の部分には、防災監視装置の運用に必要な各種のスイッチ及び表示灯が設けられている。
【００２６】
まず上部横一列に、火災代表灯７、防排煙代表灯８及びガス漏れ代表灯９が設けられている。この火災代表灯７の下側には交流電源灯、予備電源灯、回路電圧表示灯、蓄積中灯、スイッチ注意灯、地区音響完全停止中灯、発信機灯、電話灯、表示灯１〜８が設けられている。
【００２７】
また左側には音響警報を行うためのスピーカの音響窓１１が設けられる。更に操作表示パネル３の下側の部分には回線表示部１０が設けられる。回線表示部１０は７セグメントの表示素子を３つ用いて３桁の数値を表示することができる。また回線表示部１０の上側には火災断定／ガス漏れ断定スイッチ、音響停止スイッチ、地区音響一時停止スイッチが設けられている。
【００２８】
操作表示パネル３の小扉５の装着部分となる操作表示部４には、通常の運用状態では使用することのない保守点検や試験に用いるスイッチ群及び表示灯群を設けている。本発明の防災監視制御盤にあっては、この小扉５が設けられる操作表示部４に設けているスイッチ群及び表示灯群を防災監視制御盤の立ち上げ時等に、種別情報、空回線情報、蓄積解除情報、連動情報等のメモリ登録のためのスイッチ及び表示部として使用する。また各種設定情報のメモリ登録の際には、操作表示パネル３側に設けている回線表示部１０も使用する。
【００２９】
操作表示部４に設けた本来のスイッチ機能は、上段横一列に左から、地区音響一斉鳴動スイッチ、試験復旧スイッチ、復旧スイッチが設けられる。中段には左側から縦方向にみると、火災、防排煙、ガス漏れ、警報障害の各種の主音響停止スイッチ、障害回線確認スイッチ、起動スイッチ、予備電源試験スイッチ、火災試験スイッチ、ガス漏れ試験スイッチ、蓄積解除スイッチ、ガス漏れ遅延解除スイッチ、連動起動遮断スイッチ、移報停止スイッチ１〜５が設けられる。
【００３０】
更に操作表示部４の下側には回線選択スイッチ１２が設けられる。この回線選択スイッチ１２は左側の操作表示パネル３に設けている回線表示部１０に対応し、１位、１０位、１００位のそれぞれのスイッチノブを設け、更に回線番号を増加させる方向と減少させる方向のそれぞれについてスイッチノブを設けている。
【００３１】
図５は、図１の操作表示パネル３の右側に設けている小扉５を開放した状態の説明図であり、小扉５の内側にはデータ登録用のプレート１５が表面１５Ａを外側にした状態で取り付け保持されている。プレート１５はプラスチックシートや厚紙シートで作られており、下側に取り出して示すように上下の左右２箇所のそれぞれに矩形の取付片２０を突出しており、この取付片２０を図３に示した小扉５の内側の扉側プレート保持部１３もしくは操作表示部４側の盤側プレート保持部１４に嵌め入れることで、小扉５の内側もしくは操作表示部４に取付保持できる。
【００３２】
通常監視時にあっては、プレート１５は小扉５の内側に表面１５Ａを外側にした状態で取付保持されている。このプレート１５の表面１５Ａには、火災発報等を受信した際の取扱注意等を印刷表示している。またプレート１５を取り出した下側の裏面１５Ｂについては、データ登録モードの設定時に保守点検用の操作表示部４に設けているスイッチ群及び表示灯群をデータ登録用のスイッチとして使用するためのスイッチ機能が印刷表示している。
【００３３】
このため、防災監視制御盤の立ち上げ時等における種別情報、空回線情報、蓄積解除情報、連動情報等のメモリに対するデータ登録モードの際には、小扉５からプレート１５を取り外し、裏面１５Ｂを外側にして操作表示部４に図６のように取付け保持し、データ登録のための各種のスイッチ操作を行う。
【００３４】
図７は、図６の操作表示部４に対するプレート１５の取付けの様子であり、例えば上部の突起２０を操作表示部４側の上側の扉側プレート保持部１４に嵌め入れた状態でプレートを湾曲させ下側を嵌め入れる。図８は図７における下側の盤側プレート保持部１４に対するプレート１５の取付片２０の嵌込みの様子である。
【００３５】
図９は、図５に示したプレート１５の表面１５Ａを拡大して示している。プレート１５には、操作表示部４に設けられる複数のスイッチノブに対応して矩形の開口が複数形成され、また操作表示部４に設けられる複数のＬＥＤに対応して丸形の表示穴が複数形成されている。この矩形と丸形の開口の間の空部分には、通常監視モードにおける「火災発報時の注意」「次のスイッチに注意」「エラーコードによる障害表示」等の取扱注意表示１７が印刷表示されている。
【００３６】
プレート１５には、取付方向間違い防止用穴１７ａが２つ形成されている。２つの取付方向間違い防止用穴１７ａは、プレート１５の表面１５Ａを外側に出した状態で小扉５の内側に取付ける際、小扉５の内側から突出している突出部に係合されるように位置決めされている。
【００３７】
プレート１５の裏面１５Ｂを外側に出した状態で、小扉５の内側に取付けようとした際には、取付方向間違い防止用穴１７ａの位置と小扉５内側から突出している突出部は位置が合わないことから、プレート面が逆であることが直ちにわかり、プレート１５の取付方向を間違えることを防止できる。
【００３８】
また、２つの取付方向間違い防止用穴１７ａと小扉５内側から突出している突出部との係合により、突出片２０と扉側プレート保持部１３の取付によるがたつきを防止することができる。
【００３９】
図１０は、図５の下側に取り出して示すプレート１５の裏面１５Ｂを拡大している。このプレート１５の裏面１５Ｂには、データ登録モードで使用する保守点検用の操作表示部４に設けている各種スイッチのデータ登録用スイッチとしての取扱いを表示している。
【００４０】
この裏面１５Ｂの表示は、まず上横２列に連動設定に関する表示を行っている。この連動設定に関する表示は、ベル区分設定表示部２４ａ、防排煙信号種別表示部２５ａ、連動元表示部２６ａ、連動先表示部２７ａで構成される。ここで、それぞれの表示部の矩形の部分には操作表示部４にプレーと１５を取付保持させた状態でスイッチノブが位置することから、スイッチノブのスイッチ機能を示す番号を示す。
【００４１】
即ち、連動設定については、ベル区分設定スイッチ２４、防排煙信号種別スイッチ２５、連動元スイッチ２６、連動先スイッチ２７として機能するスイッチののノブが位置することになる。プレート１５の右上隅には、復旧表示部３５ａが設けられ、ここには復旧スイッチ３５が位置する。
【００４２】
連動設定関係の表示部の下側には、左側から縦方向に説明すると、拡大警報タイマ設定表示部２８ａ、空回線設定表示部２９ａ、種別切分表示部３０ａ、警報保持設定表示部３１ａ、個別蓄積解除表示部３２ａ、確認マスク設定表示部３３ａ、次回線表示部２３ａ、セット表示部２１ａ、クリア表示部２２ａ、音響有無設定表示部３６ａが設けられる。
【００４３】
このうち、右側のセット表示部２１ａは各種情報のデータをメモリ登録に使用するスイッチ表示部であり、またクリア表示部２２ａはメモリ登録した内容をクリアするためのクリア操作のためのスイッチ表示部である。更に次回線表示部２３ａは、現在の回線選択状態で次回線があれば丸形の次回線表示灯２３ｂが点灯し、この状態でスイッチ操作することで次回線が選択できる。
【００４４】
このようなスイッチ表示部に対応して、その矩形領域に位置する保守点検用の操作表示部４のスイッチにより、拡大警報タイマ設定スイッチ２８、空回線設定スイッチ２９、種別切分スイッチ３０、警報保持設定スイッチ３１、個別蓄積解除スイッチ３２、確認マスク設定スイッチ３３、次回線選択スイッチ２３、セットスイッチ２１、クリアスイッチ２２、更に音響有無設定スイッチ３６のスイッチ機能が与えられる。
【００４５】
また、これら各スイッチに対応して設けられる丸形で示す各表示灯( ベル区分設定表示灯２４ｂ、起動表示灯２５ｂ、確認表示灯２５ｃ、連動元表示灯２６ｂ、連動先表示灯２７ｂ、拡大警報タイマ設定表示灯２８ｂ、空回線設定表示灯２９ｂ、警報保持設定表示灯３１ｂ、個別蓄積解除設定表示灯３２ｂ、確認マスク設定表示灯３３ｂ、音響有無設定表示灯３６ｂ) は、それぞれの情報設定で点灯し、設定解除で消灯する。
図１１は、図１０のプレート１５が裏面１５Ｂを外側にして装着する盤側の保守点検用の操作表示部４を拡大しており、プレート１５の装着によりデータ登録のために使用されるスイッチを示している。
【００４６】
図１２は、本発明による防災監視制御盤１のブロック図である。図１２において、防災監視制御盤１にはメインＣＰＵ１０２が設けられる。メインＣＰＵ１０２に対しては回線ユニット１０３ａ，１０３ｂが設けられる。回線ユニット１０３ａからは火報用の感知器回線４ａが引き出され、火災感知器１０６ａを接続している。また回線ユニット１０３ａから制御回線１０５ａが引き出され、地区音響装置１０７を接続している。
【００４７】
回線ユニット１０３ｂからは防排煙用の感知器回線１０４ｂが引き出され、火災感知器１０６ｂを接続している。また回線ユニット１０３ｂからは制御回線１０５ｂが引き出され、防排煙機器１０８を接続している。回線ユニット１０３ａ，１０３ｂは複数設けられ、外部に引出し可能な回線数は例えば最大で５００回線となる。この最大で５００回線の感知器回線に対応して、制御回線も最大５００回線を引き出すことができる。
【００４８】
メインＣＰＵ１０２に対しては、更に操作部１１０、表示部１１１、音声合成スピーカを用いた主音響装置１１２、地区表示部１１３ａ，１１３ｂ、移報出力部１１５が設けられる。操作表示部１１０には図４の操作表示パネル３及び小扉５の内側の操作表示部４に示したスイッチに加えて、データ登録モードを設定するための登録モード設定スイッチ１００が設けられている。
【００４９】
この登録モード設定スイッチ１００は、図１の防災監視制御盤１の内部に設けられており、登録モード設定スイッチ１００を押しながら電源スイッチを投入すると、メインＣＰＵ１０２がデータ登録モードで立ち上がる。また登録モード設定スイッチ１００を操作せずに電源を投入すると、通常監視モードで立ち上がる。
【００５０】
メインＣＰＵ１０２に対してはワークメモリとして動作するＳＲＡＭ１１６がＣＰＵバス１１７により接続される。更にＣＰＵバス１１７に設けたコネクタ１１８に対し、ＲＯＭパック１１９に内蔵したフラッシュメモリ１２０を不揮発性メモリとして接続できる。
【００５１】
フラッシュメモリ１２０には、防災監視制御盤１の監視制御に必要な回線数、回線種別等の基本データと、感知器回線に対し地区音響装置１１７や防排煙機器１１８を連動制御するための連動データが予め登録されており、電源投入時にフラッシュメモリ１２０からＳＲＡＭ１１６に展開され、メインＣＰＵ１０２の監視制御で使用される。
【００５２】
防災監視制御盤１に設けている回線ユニット１０３ａ，１０３ｂ、地区表示部１１３ａ，１１３ｂ、更に移報出力部１１５は、１チップ構成のＣＰＵがそれぞれ設けられており、メインＣＰＵ１０２との間でシリアル通信によりデータのやり取りを行っている。
【００５３】
メインＣＰＵ１０２はプログラム制御により受信制御部１０２ａとしての機能と登録処理部１０２ｂとしての機能を実現する。操作部１１０に設けている登録モード設定スイッチ１００を操作せずに電源を投入すると、メインＣＰＵ１０２は受信制御部１０２ａの機能による通常監視モードで動作する。
【００５４】
受信制御部１０２ａは回線ユニット１０３ａ，１０３ｂのローカルＣＰＵからシリアル通信により送られてくる回線発報データを監視し、火災等の異常を判断した場合に表示部１１１に発報回線を表示し、また主音響装置１１２により代表火災警報を出し、更に地区表示部１１３ａ，１１３ｂに対し発報回線の地区表示を行わせ、加えて移報出力部１１５に対し移報出力を行わせる。
【００５５】
また受信制御部１０２ａは、例えば火報用の感知器回線１０４ａの発報を判断した場合には、フラッシュメモリ１２０から展開された連動データに基づき、発報回線を連動元とし、これに対応する連動先の制御回線を判断し、例えば制御回線１０５ａに接続している地区音響装置１０７を作動させる。
【００５６】
操作部１１０に設けている登録モード設定スイッチ１００を操作しながら電源を立ち上げると、メインＣＰＵ１０２の登録処理部１０２ｂの機能によるデータ登録モードの動作状態となる。
【００５７】
データ登録モードの動作状態にあっては、フラッシュメモリ１２０からＳＲＡＭ１１６に展開している基本データ及び連動データの登録、変更、消去ができ、この場合に図１０に示したプレート１５を裏面１５Ｂ側として図６のように盤側の操作表示部４に取付保持し、データ登録のためのスイッチ操作を行う。
【００５８】
次に図１０のプレート１５の裏面１５Ｂ側のデータ登録用のスイッチ表示を利用した各種の設定情報の登録操作を説明する。
【００５９】
まず火災、防排煙の種別情報の登録を説明する。まず登録モードを設定するため、図１の防災監視制御盤１の扉を開いて本体内のコントロール基板等に設けている登録モード設定スイッチ１００を押した状態で、同じく本体内に設けている電源スイッチを投入すると、図１２のメインＣＰＵ１０２が登録モード設定スイッチ１００のオン状態を認識して、初期設定後に登録処理部１０２ｂによるデータ登録モードに移行する。
データ登録モードが設定できたならば、図１０の種別切分スイッチ３０により連動元となる感知器回線に対して火報、防排煙のいずれかの種別情報を設定する。即ち、種別切分スイッチ３０を操作した後、回線選択スイッチ１２を操作して任意の回線番号を回線表示部１０に表示させて、セットスイッチ２１を操作することで、表示された回線番号より以前の回線が火報、それ以降の回線が防排煙であるとして登録される。
【００６０】
連動元である感知器回線について火報、防排煙の種別情報が登録できたら、次にベル区分設定スイッチ２４により、連動元の種別として火報が設定された回線に対応して連動先となる制御回線のうちベル区分の種別を設定する制御回線数の登録を行う。
【００６１】
ベル区分の設定登録方法を説明する。ベル区分設定スイッチ２４を操作すると、ベル区分の設定モード状態になると共にベル区分設定表示灯２４ｂが点灯する。この状態で、回線選択スイッチ１２を操作してベル区分に設定したい制御回線数を回線表示部１０に表示させて、セットスイッチ２１を操作することで、ベル区分となる制御回線が登録される。最後に復旧スイッチ３５を操作することでベル区分設定モードが終了する。
【００６２】
なお、連動元の種別として防排煙が設定された回線に対応した制御回線については自動的に防排煙種別が登録される。
【００６３】
次に、地区音響区分鳴動についての連動情報の設定登録方法について説明する。この地区音響区分鳴動についての連動にあっては、連動元は火報が設定された感知器回線で、連動先はベル区分が設定された制御回線となる。ベル区分設定スイッチ２４を操作すると、ベル区分の設定モード状態になると共にベル区分設定表示灯２４ｂが点灯する。
【００６４】
この状態で、連動元スイッチ２６を操作すると連動元表示灯２６ｂが点灯すると共に連動元選択状態となる。続いて回線選択スイッチ１２を使用して回線表示部１０に連動元の回線番号を表示させる。次に連動先スイッチ２７を操作すると連動先表示灯２７ｂが点灯すると共に連動先選択状態となる。この際、既に連動先が設定されていると回線表示部１０にその回線番号が表示される。
【００６５】
２回線以上連動先が登録されている場合には、次回線表示灯２３ｂが点灯し、次回線選択スイッチ２３を操作する毎に連動先が登録されている回線番号が回線表示部１０に次々に表示されて確認することができる。新たに連動先を設定するときは、設定したい連動先の回線番号を回線選択スイッチ１２により回線表示部１０を使用して選択し、セットスイッチ２１をすることで新規に連動先の登録が行われる。
【００６６】
また、連動先を解除したい場合は、解除したい連動先の回線番号を回線選択スイッチ１２により回線表示部１０を使用して選択し、クリアスイッチ２２をすることで連動先の解除が行われる。最後に復旧スイッチ３５を操作することでベル区分設定モードが終了する。
【００６７】
次に防排煙回線についての連動情報の設定登録方法について説明する。この防排煙回線についての連動にあっては、連動元は防排煙が種別設定された感知器回線で、連動先も防排煙が種別設定された制御回線となる。連動元スイッチ２６を操作すると連動元表示灯２６ｂが点灯すると共に連動元選択状態となる。
【００６８】
続いて回線選択スイッチ１２を使用して回線表示部１０に連動元の回線番号を表示させる。この状態で防排煙信号種別スイッチ２５を操作することで連動元信号を確認とするのか起動とするのかを選択する。防排煙回線には、連動元信号として、確認と起動があり、この確認と起動のいずれで連動させるかを、この防排煙信号種別スイッチ２５を操作することで設定することができる。
【００６９】
通常は、起動が設定されており、設定状態を示すため起動表示灯２５ｂが点灯する。防排煙信号種別スイッチ２５を操作することで、起動から確認に切り替わり設定されると共に確認表示灯２５ｃが点灯する。防排煙信号種別スイッチ２５を操作する毎に起動と確認が反転する。この防排煙信号種別が設定できたら、次に連動先スイッチ２７を操作する。これ以降の操作については、地区音響区分鳴動についての連動情報の設定登録方法と同様である。
【００７０】
次に、拡大警報タイマ設定について説明する。拡大警報タイマ設定スイッチ２８を操作すると拡大警報タイマ時間設定モード状態になると共に拡大警報タイマ設定表示灯２８ｂが点灯する。更に、現在設定されている拡大警報タイマ時間が、回線表示部１０に表示される。
【００７１】
この拡大警報タイマ時間設定モード状態で、回線選択スイッチ１２の１位のスイッチノブを操作することで、設定したい時間を可変させて表示させる。設定させたい時間が選択されたところで、セットスイッチ２１を操作することで、拡大警報タイマ時間設定が登録される。最後に復旧スイッチ３５を操作することで拡大警報タイマ時間設定モードが終了する。
【００７２】
次に空回線の設定を説明する。データ登録モードの状態で空回線設定スイッチ２９を操作すると、空回線の設定モード状態となる。このとき、既に空回線が設定されている回線がある場合については回線表示部１０に空回線が設定されている回線の先頭番号が表示されると共に、空回線設定表示灯２９ｂが点灯する。
【００７３】
この際、２回線以上設定されている場合には、次回線表示灯２３ｂが点灯し、次回線選択スイッチ２３を操作毎に空回線設定されている次回線を回線表示部１０に次々に表示させて確認することができる。新たに空回線を設定するときは、回線選択スイッチ１２により回線表示部１０を使用して回線を選択し、セットスイッチ２１を押せばよい。
【００７４】
これにより、空回線設定表示灯２９ｂが点灯するため空回線の登録ができたことが確認できる。空回線の登録を解除する場合には、回線選択スイッチ１２により回線表示部１０を使用して解除したい回線を選択し、クリアスイッチ２２を押せば、空回線の登録が解除となる。この際、空回線設定表示灯２９ｂが消灯するため、解除できたことが確認できる。最後に復旧スイッチ３５を操作することで空回線設定モードが終了する。
【００７５】
これ以外の警報保持設定スイッチ３１による設定、個別蓄積解除スイッチ３２による設定、確認マスク設定スイッチ３３による設定、音響有無設定スイッチ３６による設定については、空回線設定スイッチ２９の場合と同様に、各スイッチの操作により対応するデータ登録モード状態を作り出し、その状態で回線表示部１２により新たに設定する回線を選択してセットスイッチ２１を押すことで新規登録ができ、既に登録済みの回線については回線選択スイッチ１２で回線番号を選択した状態でクリアスイッチ２２を押せば解除することができる。
【００７６】
尚、本発明は、その目的と利点を損なわない範囲の適宜の変形を含み、更に上記の実施形態に示した数値による限定は受けない。
【００７７】
【発明の効果】
以上説明してきたように本発明によれば、表面側に通常監視時に使用する取扱注意を表示し、裏面側にデータ登録時に使用するスイッチ機能を表示したプレートを、通常監視時に保守点検用の操作表示部をカバーしている小扉の内側に通常監視の取扱注意表示を外側にした状態で取付保持し、データ登録時に小扉から取り外して保守点検用の操作表示部にデータ登録用のスイッチ機能表示を外側にした状態で取付保持できるようにしたことで、１枚のプレートを通常監視の取扱注意表示とデータ登録のスイッチ機能表示の両方に使用でき、通常監視の取扱注意表示とデータ登録のスイッチ機能表示を別々に表示した場合に比べ、表示のための使用スペースを半分に低減できる。
【００７８】
また操作表示部をカバーしている小扉の内側に通常監視時の取扱注意表示のためのプレートとして常時取付保持しておくことでプレートの紛失を確実に防止し、データ登録の際に直ちにプレートを操作表示部に取り付けてデータ登録作業を行うことができる。
【図面の簡単な説明】
【図１】本発明による防災監視制御盤の外観説明図
【図２】図１の操作表示パネルを取り出した説明図
【図３】図２の操作表示部に設けた小扉の開閉動作の説明図
【図４】小扉を開いた状態での図１の操作表示パネルの説明図
【図５】操作表示部と小扉に対するプレートの着脱状態の説明図
【図６】操作表示部に対するプレート取付状態の説明図
【図７】操作表示部にプレートを取り付ける際の説明図
【図８】盤側プレート保持部に対するプレート取付片の嵌込み状態の説明図
【図９】通常監視の取扱注意を表示した本発明におけるプレートの表面側の説明図
【図１０】データ登録スイッチの取扱いを表示した本発明におけるプレート裏面の説明図
【図１１】図１０のプレート裏面のスイッチ取扱表示に対応した操作表示部のスイッチ配置の説明図
【図１２】本発明による防災監視制御盤のブロック図
【図１３】従来の防災監視制御盤の説明図
【図１４】従来の防災監視制御盤におけるデータ登録用プレートの説明図
【符号の説明】
１：防災監視制御盤
２：地区表示パネル
３：操作表示パネル
４：操作表示部
５：小扉
５ａ：ヒンジ
７：火災代表灯
８：防排煙代表灯
９：ガス漏れ代表灯
１０：回線表示部
１１：音響窓
１２：回線選択スイッチ
１５：プレート
１５Ａ：表面
１５Ｂ：裏面
１６：スイッチ穴
１７：取扱注意表示
１８：表示灯装着部
２０：プレート取付片
２１：セットスイッチ
２１ａ：セット表示部
２２：クリアスイッチ
２２ａ：クリア表示部
２３：次回線スイッチ
２４：ベル区分設定表示部
２４ａ：ベル区分設定スイッチ
２４ｂ：ベル区分設定表示灯
２５：防排煙信号種別スイッチ
２６：連動元スイッチ
２６ａ：連動元表示部
２７：連動先スイッチ
２７ａ：連動先表示部
２８：拡大警報タイマ設定スイッチ
２８ａ：拡大警報タイマ設定表示部
２９：空回線設定スイッチ
２９ａ：空回線設定表示部
３０：種別切分スイッチ
３０ａ：種別切分表示部
３１：警報保持設定スイッチ
３１ａ：警報保持設定表示部
３２：個別蓄積解除スイッチ
３２ａ：個別蓄積解除表示部
３３：確認マスク設定スイッチ
３３ａ：確認マスク設定表示部
３５：復旧スイッチ
３５ａ：復旧表示部
３６：音響有無設定スイッチ
３６ａ：音響有無設定表示部
１００：データ登録モード設定スイッチ
１０２：メインＣＰＵ
１０２ａ：受信制御部
１０２ｂ：登録処理部
【図１】
0004001256.tif 000002
【図２】
0004001256.tif 000003
【図３】
0004001256.tif 000004
【図４】
0004001256.tif 000005
【図５】
0004001256.tif 000006
【図６】
0004001256.tif 000007
【図７】
0004001256.tif 000008
【図８】
0004001256.tif 000009
【図９】
0004001256.tif 000010
【図１０】
0004001256.tif 000011
【図１１】
0004001256.tif 000012
【図１２】
0004001256.tif 000013
【図１３】
0004001256.tif 000014
【図１４】
0004001256.tif 000015